(57)【要約】      （修正有）【課題】マスター機器からターゲット機器へのマスター較正モデル転送のための技術を提供する。【解決手段】マスター機器により生成されたサンプルのセットに関連したスペクトルを含む、マスター機器のマスター較正モデルに関連したマスター較正セットを取得する。マスター較正セットに基づいてマスター較正物の選択されたセットを識別する。ターゲット機器により生成されたサンプルのセットのサブセットに関連したスペクトルを含む、ターゲット較正物の選択されたセットを取得する。マスター較正物の選択されたセットおよびターゲット較正物の選択されたセットに基づいて転送セットを生成する。転送セットに基づいてマスター較正セットに対応するターゲット較正セットを生成する。転送セットに関連した最適化技術およびサポートベクトル回帰モデリング技術を使用して、ターゲット較正セットに基づいて、ターゲット機器に対する転送された較正モデルを生成する。【選択図】図１Ａ
2018059900.tif 000002
【特許請求の範囲】
【請求項１】
デバイスであって、
前記デバイスは、１つまたは複数のプロセッサを含み、
前記１つまたは複数のプロセッサは、マスター機器のマスター較正モデルに関連したマスター較正セットを取得し、
前記マスター較正セットは、マスター機器により生成されたサンプルのセットに関連したスペクトルを含み、
前記１つまたは複数のプロセッサは、前記マスター較正セットに基づいてマスター較正物の選択されたセットを識別し、
マスター較正物の前記選択されたセットは、サンプルのセットのサブセットに関連したスペクトルを含み、
前記１つまたは複数のプロセッサは、ターゲット機器に関連したターゲット較正物の選択されたセットを取得し、
ターゲット較正物の前記選択されたセットは、ターゲット機器により生成されたサンプルのセットの前記サブセットに関連したスペクトルを含み、
前記１つまたは複数のプロセッサは、マスター較正物の前記選択されたセットおよびターゲット機器の前記選択されたセットに基づいて転送セットを生成し、
前記転送セットは、サンプルのセットの前記サブセットに関連付けられ、
前記１つまたは複数のプロセッサは、前記転送セットに基づいて前記マスター較正セットに対応するターゲット較正セットを生成し、
前記１つまたは複数のプロセッサは、サポートベクトル回帰モデリング技術に基づいて、前記ターゲット較正セットに基づいてターゲット機器に関連した転送された較正モデルを生成し、
前記転送された較正モデルは、前記転送セットに関連した最適化技術を使用して生成されるデバイス。
【請求項２】
マスター較正物の前記選択されたセットは、５個以下の較正物に関連付けられる請求項１のデバイス。
【請求項３】
前記１つまたは複数のプロセッサはさらに、シフトグリッド補間技術を使用して前記マスター較正セットを増強し、増強されたマスター較正セットを生成し、
前記１つまたは複数のプロセッサは、前記ターゲット較正セットを生成する場合、前記増強されたマスター較正セットに基づいて前記ターゲット較正セットを生成する請求項１のデバイス。
【請求項４】
前記１つまたは複数のプロセッサは、マスター較正物の前記選択されたセットを識別する場合、ケナードストーン（ＫＳ）選択アプローチに基づいてマスター較正物の前記選択されたセットを識別する請求項１のデバイス。
【請求項５】
前記１つまたは複数のプロセッサはさらに、ターゲット較正物の前記選択されたセットを使用して前記転送された較正モデルに関連したモデルパラメータを決定し、
前記１つまたは複数のプロセッサは、前記転送された較正モデルを生成する場合、前記決定されたモデルパラメータに基づいて前記転送された較正モデルを生成する請求項１のデバイス。
【請求項６】
マスター較正物の前記選択されたセットは、アプリケーションに依存しないユニバーサル較正物のセットに関連付けられる請求項１のデバイス。
【請求項７】
前記１つまたは複数のプロセッサはさらに、前記転送セットに基づいて転送行列を生成し、
前記１つまたは複数のプロセッサは、前記ターゲット較正セットを生成する場合、前記転送行列を適用することにより、前記ターゲット較正セットを前記マスター較正セットに生成する請求項１のデバイス。
【請求項８】
命令を格納する非一時的コンピュータ可読媒体であって、
１つまたは複数の命令は、１つまたは複数のプロセッサにより実行された場合に、前記１つまたは複数のプロセッサに、サンプルのセットに関連したスペクトルを含むマスター機器のマスター較正モデルに関連したマスター較正セットを取得させ、
前記スペクトルは、マスター機器により、サンプルのセットを走査することに基づいて生成され、
前記１つまたは複数の命令は、前記マスター較正セットに基づいてマスター較正物の選択されたセットを識別させ、
前記１つまたは複数の命令は、マスター較正物の前記選択されたセットに対応するターゲット機器に関連したターゲット較正物の選択されたセットを取得させ、
前記１つまたは複数の命令は、マスター較正物の前記選択されたセットおよびターゲット較正物の前記選択されたセットに基づいてスパース転送セットを生成させ、
前記スパース転送セットは、サンプルの前記セットの５個以下のサンプルに関連付けられ、
前記１つまたは複数の命令は、前記スパース転送セットに基づいて転送行列を生成させ、
前記１つまたは複数の命令は、前記転送行列を使用して、前記マスター較正セットに対応するターゲット較正セットを生成させ、
前記１つまたは複数の命令は、前記ターゲット較正セットに基づいて、ターゲット機器に関連した転送された較正モデルを生成させ、
前記転送された較正モデルは、前記スパース転送セットに関連した最適化技術を使用して生成される、
非一時的コンピュータ可読媒体。
【請求項９】
前記１つまたは複数の命令は、前記１つまたは複数のプロセッサに、前記転送された較正モデルを生成させ、
前記１つまたは複数のプロセッサに、サポートベクトル回帰モデリング技術を使用して前記転送された較正モデルを生成させる、
請求項８の非一時的コンピュータ可読媒体。
【請求項１０】
前記１つまたは複数の命令は、前記１つまたは複数のプロセッサにより実行される場合に、前記１つまたは複数のプロセッサに、前記マスター較正セットを増強させ、増強されたマスター較正セットをさらに生成させ、
前記１つまたは複数の命令は、前記１つまたは複数のプロセッサに、前記ターゲット較正セットを生成させ、
前記１つまたは複数のプロセッサに、前記転送行列を前記増強されたマスター較正セットに適用することに基づいて前記ターゲット較正セットを生成させる、
請求項８の非一時的コンピュータ可読媒体。
【請求項１１】
前記１つまたは複数の命令は、前記１つまたは複数のプロセッサに、マスター較正物の前記選択されたセットを識別させ、
前記１つまたは複数のプロセッサに、ケナードストーン（ＫＳ）選択アプローチに基づいてマスター較正物の前記選択されたセットを識別させる、
請求項８の非一時的コンピュータ可読媒体。
【請求項１２】
前記１つまたは複数の命令は、前記１つまたは複数のプロセッサにより実行された場合に、１つまたは複数のプロセッサにさらに、ターゲット較正物の前記選択されたセットを使用して、前記転送された較正モデルに関連したモデルパラメータを決定させ、
前記１つまたは複数の命令は、前記１つまたは複数のプロセッサに、前記転送された較正モデルを生成させ、
前記１つまたは複数のプロセッサに、前記決定されたモデルパラメータに基づいて前記転送された較正モデルを生成させる、
請求項８の非一時的コンピュータ可読媒体。
【請求項１３】
前記マスター較正セットは、ユニバーサル較正物のセットに関連付けられる、
請求項８の非一時的コンピュータ可読媒体。
【請求項１４】
前記１つまたは複数の命令は、前記１つまたは複数のプロセッサにより実行される場合に、前記１つまたは複数のプロセッサに、
転送スキームを前記スパース転送セットにさらに適用させ、
前記１つまたは複数の命令は、前記１つまたは複数のプロセッサに前記転送行列を生成させ、
前記１つまたは複数のプロセッサに、前記転送スキームを前記スパース転送セットに適用した後に、前記転送行列を生成させる、
請求項８の非一時的コンピュータ可読媒体。
【請求項１５】
方法であって、
前記方法は、デバイスにより、第１の機器の第１の較正モデルに関連した第１の較正セットを取得するステップと、
前記第１の較正セットは、サンプルのセットの走査に基づいて第１の機器により生成されたサンプルのセットに関連したスペクトルを含み、
前記方法は、デバイスにより、前記第１の較正セットの較正物の第１の選択されたセットを識別するステップと、
較正物の前記第１の選択されたセットは、５個以下のサンプルを含むサンプルの前記セットのサブセットに対応し、
前記方法は、デバイスにより、第２の機器に関連した較正物の第２の選択されたセットを取得するステップと、
較正物の前記第２の選択されたセットは、サンプルの前記サブセットの走査に基づいて第２の機器により生成されたサンプルの前記サブセットに関連したスペクトルを含み、
前記方法は、デバイスにより、較正物の前記第１の選択されたセットおよび較正物の前記第２の選択されたセットに基づいて転送セットを生成するステップと、
前記転送セットは、サンプルの前記サブセットに対応し、
前記方法は、デバイスにより、前記転送セットに基づいて前記第１の較正セットに対応して第２の較正セットを生成するステップと、
前記方法は、デバイスにより、前記第２の較正セットに基づいて、前記第２の機器に関連した第２の較正モデルを生成するステップとを含み、
前記第２の較正モデルは、サポートベクトル回帰モデリング技術に基づいて生成され、
前記第２の較正モデルは、前記転送セットに関連した最適化技術を使用して生成される、
方法。
【請求項１６】
前記方法は、前記第２の較正モデルを前記第２の機器に提供するステップをさらに含む、
請求項１５の方法。
【請求項１７】
前記方法は、シフトグリッド補間技術を使用して前記第１の較正セットを増強し、増強された第１の較正セットを生成するステップをさらに含み、
前記第２の較正セットを生成するステップは、前記増強された第１の較正セットに基づいて前記第２の較正セットを生成するステップを含む、
請求項１５の方法。
【請求項１８】
前記較正物の前記第１の選択されたセットを識別するステップは、ケナードストーン（ＫＳ）選択アプローチに基づいて較正物の前記第１の選択されたセットを識別するステップを含む、
請求項１５の方法。
【請求項１９】
前記方法は、前記転送セットに基づいて前記第２の較正モデルに関連したモデルパラメータを決定するステップをさらに含み、
前記第２の較正モデルを生成するステップは、前記決定されたモデルパラメータに基づいて前記第２の較正モデルを生成するステップを含む、
請求項１５の方法。
【請求項２０】
前記較正物の前記第１の選択されたセットおよび較正物の前記第２の選択されたセットは、アプリケーションに依存しない較正物のセットに関連付けられる、
請求項１５の方法。
【発明の詳細な説明】
【背景技術】
【０００１】
分光器は、分光器により実行される分光測定を較正するための較正モデルを用いて構成することができる。較正モデルは、典型的には、既知のサンプルに対応する基準スペクトル、および分光機器により測定される既知のサンプルに対応するスペクトルに基づいて生成される。
【発明の概要】
【０００２】
いくつかの可能な実施形態によれば、デバイスは、１つまたは複数のプロセッサを含むことができ、マスター機器のマスター較正モデルに関連するマスター較正セットを取得し、ここで、マスター較正セットは、サンプルのセットに関連し、マスター機器により生成されるスペクトルを含むことができ、マスター較正セットに基づいてマスター較正物の選択されたセットを識別し、ここで、マスター較正物の選択されたセットは、サンプルのセットのサブセットに関連したスペクトルを含むことができ、ターゲット機器に関連したターゲット較正物の選択されたセットを取得し、ここで、ターゲット較正物の選択されたセットは、サンプルのセットのサブセットに関連し、ターゲット機器により生成されたスペクトルを含むことができ、マスター較正物の選択されたセットおよびターゲット較正物の選択されたセットに基づいて転送セットを生成し、ここで、転送セットは、サンプルのセットのサブセットに関連付けられることができ、マスター較正セットに対応し、転送セットに基づいてターゲット較正セットを生成し、サポートベクトルの回帰化モデル技術に基づいて、ターゲット機器に関連した、ターゲット較正セットに基づいた、転送された較正モデルを生成することができ、ここで、転送された較正モデルは、転送セットに関連した最適化技術を使用して生成することができる。
【０００３】
いくつかの可能な実施形態によれば、非一時的コンピュータ読み取り可能媒体は、命令を格納することができ、１つまたは複数のプロセッサにより実行される場合、１つまたは複数のプロセッサに、マスター機器のマスター較正モデルに関連し、サンプルのセットに関連したスペクトルを含む、マスター較正セットを取得させ、ここで、スペクトルは、サンプルのセットを走査することに基づいてマスター機器により生成することができ、マスター較正セットに基づいてマスター較正物の選択されたセットを識別し、ターゲット機器に関連し、マスター較正物の選択されたセットに対応する、ターゲット較正物の選択されたセットを取得し、マスター較正物の選択されたセットおよびターゲット較正物の選択されたセットに基づいてスパース転送セットを生成し、ここで、スパース転送セットは、サンプルのセットの５つ以下のサンプルに関連付けられることができ、スパース転送セットに基づき転送行列を生成し、マスター較正セットに対応し、転送行列を使用して、ターゲット較正セットを生成し、ターゲット機器に関連し、ターゲット較正セットに基づいて、転送された較正モデルを生成し、ここで、転送された較正モデルは、スパース転送セットに関連した最適化技術を使用して生成されることができる。
【０００４】
いくつかの可能な実施形態によれば、方法は、デバイスにより、第１の機器の第１の較正モデルに関連した第１の較正セットを取得するステップと、第１の較正セットは、サンプルのセットに関連した、第１の機器によりサンプルのセットの走査に基づいて生成された、スペクトルを含み、デバイスにより、第１の較正セットの較正物の第１の選択されたセットを識別するステップと、ここで、較正物の第１の選択されたセットは、５つ以下のサンプルを含むサンプルのセットのサブセットに対応することができ、デバイスにより、第２の機器に関連した較正物の第２の選択されたセットを取得するステップと、ここで、較正物の第２の選択されたセットは、サンプルのサブセットに関連した、第２の機器によりサンプルのサブセットの走査に基づいて生成された、スペクトルを含むことができ、デバイスにより、較正物の第１の選択されたセットおよび較正物の第２の選択されたセットに基づいた転送セットを生成するステップと、ここで、転送セットは、サンプルのサブセットに対応することができ、デバイスにより、第１の較正セットに対応して、転送セットに基づいて第２の較正セットを生成するステップと、デバイスにより、第２の較正セットに基づいて、第２の機器に関連した第２の較正モデルを生成するステップとを含むことができ、ここで、第２の較正モデルは、サポートベクトル回帰モデル技術に基づいて生成され、第２の較正モデルは、転送セットに関連して最適化技術を使用して生成されることができる。
【図面の簡単な説明】
【０００５】
【図１Ａ】図１Ａおよび図１Ｂは、本明細書に記載された実施例の概要を示す図である。
【図１Ｂ】図１Ａおよび図１Ｂは、本明細書に記載された実施例の概要を示す図である。
【図２】本明細書に記載のシステムおよび／または方法を実施することができる例示的な環境の図である。
【図３】図２の１つまたは複数のデバイスの例示的な構成要素の図である。
【図４】スパース転送セットを使用して、マスター機器からターゲット機器にマスター較正モデルを転送するための例示的なプロセスのフローチャートである。
【図５Ａ】図５Ａ−図５Ｃは、モデリングデバイスが、マスター較正モデルの転送に関連したマスター較正セットを増大させるためにシフトグリッド補間を実行することができる様子を示す図である。
【図５Ｂ】図５Ａ−図５Ｃは、モデリングデバイスが、マスター較正モデルの転送に関連したマスター較正セットを増大させるためにシフトグリッド補間を実行することができる様子を示す図である。
【図５Ｃ】図５Ａ−図５Ｃは、モデリングデバイスが、マスター較正モデルの転送に関連したマスター較正セットを増大させるためにシフトグリッド補間を実行することができる様子を示す図である。
【発明を実施するための形態】
【０００６】
例示的な実施形態の以下の詳細な説明は、添付の図面を参照する。異なる図面における同じ参照番号は、同一または類似の要素を識別する可能性がある。
【０００７】
マスター分光機器（本明細書でマスター機器とも呼ばれる）マスター機器の分光測定を較正するために使用されるマスター較正モデルを用いて構成することができる。ある場合には、ユーザは、マスター較正モデルをマスター機器からターゲット分光機器（ここでは、ターゲット機器と呼ぶ）に転送して、ターゲット機器がマスター較正モデルに対応する較正モデルで構成されるようにしたい場合がある。一例として、ユーザは、高解像度のマスター機器により格納された、以前に生成されたマスター較正モデルを、低解像度のターゲット機器に転送したい場合がある。
【０００８】
しかしながら、マスター較正モデルは、特にマスター機器に対して生成され、マスター機器は、ターゲット機器（例えば、デスクトップ用途向けに設計された高解像度機器とハンドヘルドおよび／またはモバイル用途向けに設計された低解像度ターゲット機器）と比較して、転送された較正モデルのパフォーマンス（例えば、予測精度）がマスター較正モデルと比較して低下する可能性がある。いくつかの場合において、較正物（例えば、較正のために使用されるサンプル）の増加した数が、マスター較正モデルをターゲット機器に転送することに関連した転送セットに含まれる場合、このような劣化を低減することができる。
【０００９】
このような場合に、転送された較正モデルは、データ（例えば、より多くのスペクトルデータが較正物の増加した数のために転送された較正モデルを生成するために使用されることができる）のより多くの量に基づいて生成され、より少ない較正物に関連したスペクトルに基づいて生成された転送された較正モデルと比較して転送された較正モデルの改善されたパフォーマンスにつながる可能性がある。しかしながら、追加の較正物のためのスペクトルを取得することは、ターゲット機器および／またはマスター機器（例えば、より多くのスペクトルデータを収集する必要があるため）のリソース消費（例えば、処理能力、メモリ、バッテリの使用など）を増加させ、また追加の較正物のためのスペクトルを生成するために、ターゲット機器および／またはマスター機器のユーザの負担を増加させる。
【００１０】
マスター較正モデルが較正物の少ない数（例えば、５つ以下）に関連したスペクトルを含むスパース転送セットを使用してターゲット機器に転送することを可能にしながら、本明細書に記載される実施形態は、マスター機器からターゲット機器にマスター較正モデルの改善された転送のための技術を提供する。本明細書に記載の実施形態は、また改善されたモデルパフォーマンス（例えば、典型的な較正モデルの転送と比較して）で較正モデルの転送を可能にすることができる。
【００１１】
本明細書に記載するマスター較正モデルの転送は、ターゲット機器のパフォーマンスを改善し、ターゲット機器によるリソースの消費を低減し、および／またはターゲット機器のユーザの負担を軽減する（典型的なマスター較正モデルを転送する方法と比較して）。例えば、本明細書に記載された技術を使用するマスター較正モデルの転送は、改善されたおよび／または更新された（例えば、新しく生成されたおよび／または最新の）マスター較正モデルを、複数のターゲット機器に効率的かつ効果的に頒布することができ、それにより、マスター較正モデルを転送する典型的な方法よりもより低いコスト（例えば、バッテリ電力、処理リソース、メモリ、ネットワークリソース、仕事量など）でターゲット機器の予測精度を向上させることができる。
【００１２】
さらに、マスター較正モデルの転送は、本明細書に記載されるように、ターゲット機器が、較正物の高い数（例えば、５つ以上）のためにスペクトルデータを取得するターゲット機器を必要とせずに、較正されることを可能にでき、それにより、ターゲット機器のユーザの負担も軽減しながら、ターゲット機器のリソース（例えば、バッテリ電力、処理リソース、メモリ、など）の使用を節約することができる（例えば、転送された較正モデルの生成のためにスペクトルデータを収集する必要がないため）。
【００１３】
さらに、マスター較正モデルの転送は、本明細書に記載されるように、例えば、ターゲット機器が、ハードウェアエラー（例えば、ピクセル欠陥）、スペクトルデータ収集問題（例えば、予想外のスペクトルピーク）などを経験した場合、ターゲット機器を効率的に修復および／または再較正することができ、それにより、そのようなエラーが発生した場合に、ターゲット機器の停止時間を短縮することができる。
【００１４】
図１Ａおよび図１Ｂは、本明細書に記載される実施例１００の概要を示す図である。実施例１００の目的のために、マスター機器がマスター機器の較正分光測定に関連するマスター較正モデルを格納していると仮定する。さらに、マスター較正モデルは、ターゲット機器の分光測定が較正されるように、ターゲット機器に転送されるものと仮定する。
【００１５】
図１Ａに、参照番号１０５により、示されるように、転送された較正モデルを生成することに関連するモデリングデバイスは、マスター機器から、マスター機器に関連したマスター較正セットを取得することができる。マスター較正セットは、サンプルのセットに関連した、マスター機器により生成された、スペクトルのセットを含むことができる（例えば、スペクトルデータに基づき、サンプルのセットに関連した、マスター機器により収集された）。いくつかの実施形態では、マスター較正セットは、マスター較正モデルが生成される基準であることができる。図１Ａに示すように、場合によっては、マスター較正セットは、マスター機器により生成された高解像度スペクトルを含むことができる。
【００１６】
さらに、図１Ａに、参照番号１１０により、示されるように、モデリングデバイスは、増強されたマスター較正セットを生成するように、マスター較正セットを増強することができる。増強されたマスター較正セットは、マスター較正セットに関連した１または複数のサンプルの追加のスペクトルを含むように修正されたマスター較正セットを含むことができる。いくつかの実施形態では、モデリングデバイスは、マスター較正セットに含まれるスペクトルに対応する追加の（例えば、低解像度の）スペクトルを生成するために、マスター較正セットを増強することができる。いくつかの実施形態では、モデリングデバイスは、追加のスペクトルをモデリングデバイスが生成することを可能にするシフトされたグリッド補間技術を使用して、マスター較正セットを増強することができる。図１Ａで述べたように、シフトされたグリッド補間技術は、占有低解像度（ＰｏＬＲ）技術と呼ぶことができる。いくつかの実施形態では、マスター較正セットの増強は、以下に説明するように、転送された較正モデルに関連したバイアスを低減する可能性がある。
【００１７】
さらに、図１Ａに、参照番号１１５により、示されるように、モデリングデバイスは、マスター較正物のセットを選択することができる（例えば、増強されたマスター較正セットから、マスター較正セット中に含まれる同じタイプまたは同じ集団の較正物のセットから、）。マスター較正物の選択されたセットは、マスター機器からターゲット機器にマスター較正モデルを転送することに関連した転送セットに含まれるべきマスター較正セットに含まれるサンプルのセットに対応するスペクトルのセットを含むことができる。ここで、マスター較正物の選択されたセットは、マスター較正セットに含まれる較正物のサブセットを含むことができる。例えば、マスター較正物の選択されたセットは、較正物の小さな数（例えば、５つ以下）を含むことができる。いくつかの実施形態では、マスター較正物の選択されたセットは、マスター較正モデルの転送に関連した転送セットに含まれるべきである。
【００１８】
いくつかの実施形態では、モデリングデバイスは、ケナードストーン（ＫＳ）アルゴリズムに基づいてマスター較正物のセットを選択することができる。マスター較正物のセットを選択するためのＫＳアプローチの使用は、以下に説明するように、典型的な方法で選択されたマスター較正物のセットに基づいて生成された転送された較正モデルと比較して改善されたパフォーマンスを有する転送された較正モデルをもたらすことができる。
【００１９】
さらに、図１Ａに、参照番号１２０により、示されるように、モデリングデバイスは、ターゲット機器からターゲット較正物の選択されたセットを得ることができる。ターゲット較正物の選択されたセットは、マスター較正物の選択されたセットに関連したサンプルに対応したターゲット機器により収集されたスペクルデータに基づいて生成されたスペクトルのセットを含むことができる。換言すれば、ターゲット較正物の選択されたセットは、マスター較正物の選択されたセットに含まれるスペクトルのサンプルと同じセットについて測定されたスペクトルを含むことができる。いくつかの実施形態では、ターゲット較正物の選択されたセットは、マスター較正モデルの転送に関連した転送セットに含まれるべきである。
【００２０】
図１Ｂに、参照番号１２５により、示されるように、モデリングデバイスは、マスター較正物の選択されたセットおよびターゲット較正物の選択されたセットに基づいて転送セットを生成することができる。転送セットは、ターゲット較正物の選択されたセットおよびマスター較正物の選択されたセットを含む較正物のセットである。換言すれば、転送セットは、マスター較正物の選択されたセットおよびターゲット較正物の選択されたセットの両方に関連したサンプルに対応したスペクトルを含むことができる（すなわち、マスター機器およびターゲット機器により測定されたスペクトルの組み合わせ）。
【００２１】
いくつかの実施形態では、転送セットは、増強された較正セットに適用されてターゲット較正セットを生成する転送行列を生成するために使用することができる。いくつかの実施形態では、モデリングデバイスは、マスター較正セットに転送行列を適用することができる（例えば、モデリングデバイスがマスター較正セットを増強しない場合に）。いくつかの実施形態では、モデリングデバイスは、ターゲット較正物の選択されたセットおよびマスター較正物の選択されたセットに基づいて転送セットを生成することができる。例えば、所与のサンプルについて、モデリングデバイスは、ターゲット機器により生成されたスペクトルを、マスター機器により生成されたスペクトルに適合させることができる。いくつかの実施形態では、転送セットは、スパース転送セット（すなわち、５つ以下の較正物に関連した転送セット）であってもよい。ここで、スパース転送セットの使用は、以下に説明するように、ターゲット機器リソースの消費および／またはユーザの負担を低減するように作用することができる（例えば、ターゲット機器により生成される必要があるスペクトルが少ないため）。
【００２２】
さらに、図１Ｂに、参照番号１３０により、示されるように、モデリングデバイスは、転送セットに基づいて転送行列を生成することができる。転送行列は、転送された較正モデルを生成することができるターゲット較正セットを生成するために、マスター較正セットに含まれるサンプルに関連したスペクトルを操作する方法を識別する情報を含むことができる。換言すれば、転送行列は、ターゲット較正セットを生成するために、増強されたマスター較正セット（または増強が行われない場合は、マスター較正セット）をマッピングすることに関連した行列を含むことができる。いくつかの実施形態では、モデリングデバイスは、転送セットに基づいて転送行列を生成することができる。
【００２３】
いくつかの実施形態では、モデリングデバイスは、転送セットに転送スキームを適用した後の転送行列を生成することができる。例えば、モデリングデバイスは、転送セットに一般化最小二乗（ＧＬＳ）スキームを適用し、ＧＬＳスキームを転送セットに適用した後に転送行列を生成することができる。
【００２４】
さらに、図１Ｂに、参照番号１３５により、示されるように、モデリングデバイスは、ターゲット較正セットを生成するために、増強されたマスター較正セットに転送行列を適用することができる。ターゲット較正セットは、増強されたマスター較正セットに関連したサンプルに対応したスペクトルのセットを含むことができ、そこから転送された較正モデルを生成することができる。換言すれば、ターゲット較正セットは、ターゲット機器に関連したスペクトルのセットを含むことができ、これは、転送行列に基づいて、マスター較正セットに含まれるサンプルに対応したスペクトルのセットからマッピングされる。
【００２５】
さらに、図１Ｂに、参照番号１４０により、示されるように、モデリングデバイスは、ターゲット較正セットに基づいて転送された較正モデルを生成することができる。上述したように、転送された較正モデルは、ターゲット機器により得られた測定値を較正するために使用されるモデルを含むことができ、これは、マスター機器に関連したマスター較正モデルに基づいて生成される。
【００２６】
図１Ｂで述べたように、いくつかの実施形態では、モデリングデバイスは、ターゲット較正セットにサポートベクトル回帰（ＳＶＲ）モデリング技術（すなわち、回帰のためのサポートベクトルマシン（ＳＶＭ））を適用することに基づいて転送されたモデルを生成することができる。ＳＶＲモデリング技術の使用は、後述するように、部分最小二乗（ＰＬＳ）モデリング技術などの典型的なモデリング技術を使用して生成された転送されたモデルと比較して、改善されたパフォーマンスを有する転送された較正モデルをもたらすことができる。
【００２７】
いくつかの実施形態では、モデリングデバイスは、ＫＳアプローチを使用して選択された転送セットに基づいて、転送された較正モデルに関連したモデルパラメータ（例えば、ＳＶＲモデリング技術に関連したＣパラメータ）の値を決定することができる（図１では、ＸＳ−ＫＳＮを有するＳＶＲを使用している）。ＫＳ選択された転送セットに基づいたモデルパラメータを決定することは、以下に説明するように、モデルパラメータが典型的な方法で識別される転送モデルと比較して、改善されたパフォーマンスを有する転送された較正モデルをもたらすことができる。
【００２８】
さらに、図１Ｂに、参照番号１４５により、示されるように、モデリングデバイスは、転送された較正モデルをターゲット機器に提供することができる。ここで、ターゲット機器は、ターゲット機器により収集された分光測定値を較正する際に使用するために、転送された較正モデルを格納することができる。
【００２９】
このように、較正物の小さい番号（例えば、５個以下）に関連したスペクトルを含むスパース転送セットを使用して、マスター較正モデルがターゲット機器に転送されることを可能にしながら、マスター機器からターゲット機器へのマスター較正モデルの転送は、改善することができる。さらに、転送された較正モデルは、典型的な較正モデル転送技術と比較して、改善されたモデルパフォーマンスを有することができる。
【００３０】
上記に示したように、図１Ａおよび図１Ｂは、単なる一例である。他の例も可能であり、図１Ａおよび図１Ｂに関して記載したものとは異なる場合がある。
【００３１】
図２は、本明細書で説明するシステムおよび／または方法を実施することができる例示的な環境２００の図である。図２に示すように、環境２００は、マスター機器２０５、ターゲット機器２１０、モデリングデバイス２１５、およびネットワーク２２０を含むことができる。環境２００のデバイスは、有線接続、無線接続、または有線接続と無線接続の組み合わせを介して接続されることができる。
【００３２】
マスター機器２０５は、サンプル上の分光測定を実行することができるマスター較正モデルで構成されたデバイスを含む。例えば、マスター機器２０５は、分光法（例えば、近赤外分光法（ＮＩＲ）、中赤外分光法（ｍｉｄ−ＩＲ）、ラマン分光法などのような振動分光法）を実行するデスクトップ（すなわち、非ハンドヘルド）分光計デバイスを含むことができる。いくつかの実施形態では、マスター機器２０５は、ターゲット機器２１０により得られた分光測定値より高解像度で分光測定値を得ることが可能である（すなわち、マスター機器２０５は、高解像度デバイスであり、ターゲット機器２１０は低解像度デバイスである）。いくつかの実施形態では、マスター機器２０５は、マスター機器２０５により得られた分光測定値を較正するためのマスター較正モデルで構成されることができる。いくつかの実施形態では、マスター機器２０５は、モデリングデバイス２１５のような環境２００内の他のデバイスから情報を受信し、および／または他のデバイスに情報を送信することができる。
【００３３】
ターゲット機器２１０は、ターゲット較正モデルに基づいたサンプル上の分光測定を実行することができるデバイスを含み、ターゲット較正モデルは、マスター機器２０５に関連したマスター較正モデルに基づいて生成されることができる。例えば、ターゲット機器２１０は、分光法を実行するモバイル分光計デバイスまたはハンドヘルド分光計デバイスを含むことができる。いくつかの実施形態では、ターゲット機器２１０は、マスター機器２０５により得られる分光測定値より低解像度で分光測定値を得ることが可能である。いくつかの実施形態では、ターゲット機器２１０は、モデリングデバイス２１５のような環境２００内の他のデバイスから情報を受信し、および／または他のデバイスに情報を送信することができる。
【００３４】
モデリングデバイス２１５は、マスター機器２０５に関連したマスター較正モデルに関連した情報に基づいて、ターゲット機器２１０のためのターゲット較正モデルを生成することができるデバイスを含む。換言すれば、モデリングデバイス２１５は、スパース転送セットを使用してマスター機器２０５からターゲット機器２１０にマスター較正モデルを転送することができる。例えば、モデリングデバイス２１５は、サーバ、サーバのグループ、コンピュータ、クラウドコンピューティングデバイスなどを含むことができる。いくつかの実施形態では、モデリングデバイス２１５は、マスター機器２０５および／またはターゲット機器２１０のような、環境２００内の他のデバイスから情報を受信し、および／または他のデバイスに情報を送信することができる。
【００３５】
ネットワーク２２０は、１または複数の有線および／または無線ネットワークを含む。例えば、ネットワーク２２０は、セルラーネットワーク（例えば、ロングタームエボリューション（ＬＴＥ）ネットワーク、３Ｇネットワーク、コード分割多元接続（ＣＤＭＡ）ネットワークなど）、公衆陸上移動ネットワーク（ＰＬＭＮ）、ローカルエリアネットワーク（ＬＡＮ）、ワイドエリアネットワーク（ＷＡＮ）、メトロポリタンエリアネットワーク（ＭＡＮ）、電話ネットワーク（例えば、公衆交換電話網（ＰＳＴＮ））、プライベートネットワーク、アドホックネットワーク、イントラネット、インターネット、光ファイバベースのネットワーク、クラウドコンピューティングネットワークなど、および／またはこれらのまたは他のタイプのネットワークの組み合わせを含むことができる。
【００３６】
図２に示したデバイスおよびネットワークの数および配置は、一例として提供される。実際には、図２に示すものよりも、追加のデバイスおよび／またはネットワーク、より少ないデバイスおよび／またはネットワーク、異なるデバイスおよび／またはネットワーク、または異なる配置のデバイスおよび／またはネットワークが存在し得る。
【００３７】
さらに、図２に示される２つ以上のデバイスは、単一のデバイス内に実装されてもよく、図２に示される単一のデバイスは、複数の分散されたデバイスとして実装されてもよい。例えば、マスター機器２０５およびモデリングデバイス２１５は、２つの別個のデバイスとして説明されているが、マスター機器２０５およびモデリングデバイス２１５は、単一のデバイス内に実装されてもよい。他の例として、ターゲット機器２１０およびモデリングデバイス２１５は、単一のデバイス内に実装されてもよい。加えて、または代替的に、環境２００のデバイスのセット（例えば、１つまたは複数のデバイス）は、環境２００の他のデバイスのセットにより実行されると説明される１つまたは複数の機能を実行することができる。
【００３８】
図３は、デバイス３００のサンプルコンポーネントの図である。デバイス３００は、マスター機器２０５、ターゲット機器２１０、および／またはモデリングデバイス２１５に対応することができる。いくつかの実施形態では、マスター機器２０５、ターゲット機器２１０、および／またはモデリングデバイス２１５は、１つまたは複数のデバイス３００および／またはデバイス３００のコンポーネントを含むことができる。図３に示すように、デバイス３００は、バス３１０、プロセッサ３２０、メモリ３３０、記憶コンポーネント３４０、入力コンポーネント３５０、出力コンポーネント３６０、および通信インターフェース３７０とを含むことができる。
【００３９】
バス３１０は、デバイス３００のコンポーネント間の通信を可能にするコンポーネントを含む。プロセッサ３２０は、ハードウェア、ファームウェア、またはハードウェアおよびソフトウェアの組み合わせで実装される。プロセッサ３２０は、プロセッサ（例えば、中央処理装置（ＣＰＵ））、グラフィック処理ユニット（ＧＰＵ）、および／または加速処理ユニット（ＡＰＵ）、マイクロプロセッサ、マイクロコントローラ、および／または任意の処理コンポーネント（例えば、フィールドプログラマブルゲートアレイ（ＦＰＧＡ）および／または特定用途向け集積回路（ＡＳＩＣ））を含み、命令を解釈および／または実行する。いくつかの実施形態では、プロセッサ３２０は、機能を実行するようにプログラムされることが可能な１つまたは複数のプロセッサを含む。メモリ３３０は、ランダムアクセスメモリ（ＲＡＭ）、読み出し専用メモリ（ＲＯＭ）、および／または他のタイプの動的または静的記憶デバイス（例えば、フラッシュメモリ、磁気メモリ、および／または光学メモリ）を含み、プロセッサ３２０により使用するための情報および／または命令を格納する。
【００４０】
記憶コンポーネント３４０は、デバイス３００の動作および使用に関連する情報および／またはソフトウェアを記憶する。例えば、記憶コンポーネント３４０は、ハードディスク（例えば、磁気ディスク、光ディスク、光磁気ディスク、および／または固体ディスク）、コンパクトディスク（ＣＤ）、デジタル多用途ディスク（ＤＶＤ）、フロッピー（登録商標）ディスク、カートリッジ、磁気テープ、および／または他のタイプの非一時的なコンピュータ可読媒体を、対応するドライブと一緒に含むことができる。
【００４１】
入力コンポーネント３５０は、デバイス３００が、ユーザ入力（例えば、タッチスクリーンディスプレイ、キーボード、キーパッド、マウス、ボタン、スイッチ、および／またはマイクロフォン）を介するような情報を受信することを可能にするコンポーネントを含む。加えて、または代替的に、入力コンポーネント３５０は、情報（例えば、全地球測位システム（ＧＰＳ）コンポーネント、加速度計、ジャイロスコープ、および／またはアクチュエータ）を感知するためのセンサを含むことができる。出力コンポーネント３６０は、デバイス３００（例えば、ディスプレイ、スピーカ、および／または１つまたは複数の発光ダイオード（ＬＥＤ））からの出力情報を提供するコンポーネントを含む。
【００４２】
通信インターフェース３７０は、有線接続、無線接続、または有線接続および無線接続の組み合わせを介して、デバイス３００が、他のデバイスと通信することを可能にするトランシーバのようなコンポーネント（例えば、トランシーバおよび／または別個の受信機および送信機）を含む。通信インターフェース３７０は、デバイス３００が他のデバイスから情報を受信し、および／または情報を他のデバイスに提供することを可能にすることができる。例えば、通信インターフェース３７０は、イーサネット（登録商標）インターフェース、光インターフェース、同軸インターフェース、赤外線インターフェース、無線周波数（ＲＦ）インターフェース、ユニバーサルシリアルバス（ＵＳＢ）インターフェース、Ｗｉ−Ｆｉインターフェース、セルラーネットワークインターフェースなどを含むことができる。
【００４３】
デバイス３００は、本明細書で説明する１つまたは複数のプロセスを実行することができる。デバイス３００は、メモリ３３０および／または記憶コンポーネント３４０のような非一時的なコンピュータ可読媒体により記憶されたソフトウェア命令実行するプロセッサ３２０に応答して、これらのプロセスを実行することができる。コンピュータ可読媒体は、本明細書では非一時的メモリデバイスとして定義される。メモリデバイスは、単一の物理的な記憶デバイス内のメモリ空間または複数の物理的な記憶デバイス間に広がるメモリ空間を含む。
【００４４】
ソフトウェア命令は、通信インターフェース３７０を介して他のコンピュータ可読媒体から、または他のデバイスから、メモリ３３０および／または記憶コンポーネント３４０に読み込まれてもよい。ソフトウェア命令が実行されると、メモリ３３０および／または記憶コンポーネント３４０に格納されたソフトウェア命令は、プロセッサ３２０に本明細書に記載された１つまたは複数のプロセスを実行させることができる。加えて、または代替的に、本明細書に記載の１つまたは複数のプロセスを実行するためのソフトウェア命令の代わりに、またはソフトウェア命令と組み合わせてハードワイヤード回路を使用することができる。したがって、本明細書で説明される実施形態は、ハードウェア回路およびソフトウェアの特定の組み合わせに限定されない。
【００４５】
図３に示されるコンポーネントの数および配置は、一例として提供される。実際には、デバイス３００は、図３に示すものよりも、追加のコンポーネント、より少ないコンポーネント、異なるコンポーネント、または異なる配置のコンポーネント含むことができる。
加えて、または代替的に、デバイス３００のコンポーネント（例えば、１つまたは複数のコンポーネント）のセットは、デバイス３００のコンポーネントの他のセットにより実行されるものとして説明される１つまたは複数の機能を実行することができる。
【００４６】
図４は、スパース転送セットを使用してマスター機器２０５からターゲット機器２１０にマスター較正モデルを転送するための例示的なプロセス４００のフローチャートである。換言すれば、図４は、マスター機器２０５に関連したマスター較正モデルに基づいて、ターゲット機器２１０に関連した、最適化された転送された較正モデル（本明細書中で転送された較正モデルとして呼ばれる）を生成するための例示的なプロセス４００のフローチャートである。いくつかの実施形態では、図４の１つまたは複数のプロセスブロックは、モデリングデバイス２１５により実行されてもよい。いくつかの実施形態では、図４の１つまたは複数のプロセスブロックは、マスター機器２０５および／またはターゲット機器２１０のような、モデリングデバイス２１５とは別個の、またはモデリングデバイス２１５を含む、他のデバイスまたはデバイスのグループにより実行されてもよい。
【００４７】
図４に示すように、プロセス４００は、マスター機器のマスター較正モデルに関連したマスター較正セットを取得することを含むことができる（ブロック４０５）。例えば、モデリングデバイス２１５は、マスター機器２０５のマスター較正モデルに関連したマスター較正セットを取得することができる。いくつかの実施形態では、モデリングデバイス２１５は、マスター機器２０５がマスター較正セットを提供する場合、マスター較正セットを取得することができる。加えて、または代替的に、ターゲット機器２１０に転送されるべきであるという指示をモデリングデバイス２１５が受信した場合、モデリングデバイス２１５は、マスター較正セットを取得することができる（すなわち、ターゲット機器２１０により使用される最適化された転送された較正モデルは、マスター較正モデルに基づいて生成される）。
【００４８】
マスター較正セットは、マスター機器２０５により生成されたサンプルのセットに関連した較正スペクトルを含むことができる（例えば、マスター機器２０５により収集されたスペクトルデータに基づいて）。マスター較正セット内で、１つまたは複数の較正スペクトルは、所与のサンプルに対応することができる。換言すれば、マスター較正セットは、スマスター機器２０５により収集された測定値に基づいて生成されたペクトルのセットを含むことができ、スペクトルのセットは、サンプル（例えば、特徴、特性、および／または分類が知られる１つまたは複数のサンプル）のセットのサンプルに関連付けられる。いくつかの実施形態では、マスター較正セットは、マスター機器２０５により格納されたマスター較正モデルが生成される基準であってもよい（例えば、マスター較正モデルを使用してマスター機器２０５の分光測定を較正できるように）。
【００４９】
いくつかの実施形態では、マスター較正セットに含まれるサンプルに関連したスペクトルのセットは、単一のスペクトルを含むことができる。例えば、スペクトルのセットは、サンプルに関連した１つのスペクトルを含むことができる（例えば、マスター機器２０５によりサンプルの１回の走査の間に収集されたスペクトルデータに基づいて生成された単一のスペクトル）。
【００５０】
加えて、または代替的に、マスター較正セットに含まれるサンプルに関連したスペクトルのセットは、複数のスペクトルを含むことができる。例えば、スペクトルのセットは、サンプルに関連した複数のスペクトルを含むことができる（例えば、マスター機器２０５によりサンプルの複数回の走査の間に収集されたスペクトルデータに基づいて生成された複数スペクトル）。いくつかの実施形態では、マスター較正セットは、第１のサンプルに関連した単一のスペクトルを含むスペクトルの第１のセット、第２のサンプルに関連した複数のスペクトルを含むスペクトルの第２のセットを含むことができる。
【００５１】
いくつかの実施形態では、モデリングデバイス２１５は、マスター機器２０５からマスター較正セットを取得することができる。例えば、マスター機器２０５は、１または複数のサンプルの１つまたは複数の走査を実行することができ、１つまたは複数の走査の間に収集されたスペクトルデータに基づいてそれぞれのサンプルに関連したスペクトルを生成することができ、生成されたスペクトルに基づいてマスター較正セットを生成することができ、マスター較正セットをモデリングデバイス２１５に提供することができる。いくつかの実施形態では、モデリングデバイス２１５は、マスター較正セットを自動的に受信することができる。例えば、マスター機器２０５は、マスター較正セットが生成された後に、マスター較正セットをモデリングデバイス２１５に提供するように構成することができる。加えて、または代替的に、モデリングデバイス２１５は、マスター較正セットを提供するために、要求をマスター機器２０５に送信することに基づいて、マスター較正セットを取得することができる。加えて、または代替的に、モデリングデバイス２１５は、マスター機器２０５および／またはモデリングデバイス２１５により受信されたユーザ入力に基づいて、マスター較正セット取得することができる。
【００５２】
図４にさらに示されるように、プロセス４００は、マスター較正セットを増強して、増強されたマスター較正セットを生成することを含むことができる（ブロック４１０）。例えば、モデリングデバイス２１５は、マスター較正セットを増強して、増強されたマスター較正セット生成することができる。いくつかの実施形態では、モデリングデバイス２１５が、マスター較正セットをマスター機器２０５から取得する場合、モデリングデバイス２１５は、マスター較正セットを増強して、増強されたマスター較正セット生成することができる。
【００５３】
増強されたマスター較正セットは、マスター較正セットに含まれるサンプルに関連した追加のスペクトルを含むように変更されたマスター較正セットを含むことができる。いくつかの実施形態では、以下に説明するように、マスター較正モデルを転送することに関連した、マスター較正物のセットは、増強されたマスター較正セットから選択することができる。
【００５４】
いくつかの実施形態では、マスター較正セットに含まれるサンプルについて生成されたスペクトルの数が、閾値を満たす場合（例えば、単一のスペクトルを含む、２個以下のスペクトルを含む、３個以下のスペクトルを含む、ターゲット機器２１０により収集されたスペクトルより少ないスペクトルを含む、など）、モデリングデバイス２１５は、マスター較正セットを増強することができる。例えば、高解像度のマスター機器２０５の場合、マスター機器２０５は、１つまたは複数のサンプルの単一の高解像度の走査を実行することができる。さらに、以下に説明するように、低解像度のターゲット機器２１０の場合、ターゲット機器２１０は、同じ１または複数のサンプルの複数の低解像度の走査を実行することができる。そのような場合、単一の高解像度の走査に関連したスペクトルおよび複数の低解像度の走査に関連した複数のスペクトルに基づいたマスター較正モデルの転送は、転送された較正モデルに偏りが生じ、その結果、転送された較正モデルの予測精度に悪影響を与える（例えば、転送された較正モデルは、マスター機器２０５により提供されるものよりターゲット機器２１０により提供されるより多くのスペクトルに基づいて生成されるため）。ここで、マスター較正セットの増強は、転送された較正モデルにおける偏りを低減し、その結果、転送された較正モデルの予測精度を改善することができる。
【００５５】
さらに、モデリングデバイス２１５は、マスター較正モデルを転送することに関連した転送セットに含まれ得るそれぞれのサンプルのスペクトルの数が、マスター機器２０５およびターゲット機器２１０について同じであることを確実にするために、マスター較正セットを増強することができる。さもなければ、いくつかの実施形態では、モデリングデバイス２１５は、マスター較正モデルをターゲット機器２１０に転送することができない（例えば、マスター機器２０５により生成されたサンプルに関連した単一のスペクトルおよびターゲット機器２１０により生成されたサンプルに関連した複数のスペクトルを使用する場合に）。
【００５６】
いくつかの実施形態では、モデリングデバイス２１５は、シフトグリッド補間技術を使用して、マスター較正セットを増強することができる。シフトグリッド補間技術は、モデリングデバイス２１５が、マスター機器２０５により提供されるサンプルに関連したスペクトルに基づいて、追加のスペクトル（本明細書ではレプリカと呼ぶ）を生成することを可能にすることができる。いくつかの実施形態では、シフトグリッド補間技術は、ＰｏＬＲ技術として呼ばれる。
【００５７】
図５Ａ〜図５Ｃは、モデリングデバイス２１５がマスター較正セット増強するために、シフトグリッド補間を実行する方法を示す図である。図５Ａ〜図５Ｃの目的のために、モデリングデバイス２１５は、特定のサンプルについて、単一の高解像度スペクトル（例えば、特定のサンプルの単一の走査の間に収集されたスペクトルデータに基づいて生成される）を含むマスター較正セットを受信したと仮定する。マスター機器２０５の高解像度は、図５Ａ〜図５Ｃにおける明るい灰色のグリッド線により表され、単一のスペクトルは、図５Ａ〜図５Ｃにおけるスペクトルのそれぞれの測定可能波長において黒いドットを含む実線により表される。ターゲット機器２１０の低解像度は、図５Ａ〜図５Ｃにおける実線の黒い四角により表される。ここでは、マスター機器２０５の解像度は、図５Ａ〜図５Ｃにおけるターゲット機器２１０の解像度の６倍である。
【００５８】
図５Ａに示されるように、モデリングデバイス２１５は、高解像度スペクトルの第１のデータポイント、高解像度スペクトルの第７のデータポイント、高解像度スペクトルの第１３のデータポイント、および高解像度スペクトルの第１９のデータポイントに基づいて第１のレプリカを生成することができる。図５Ａに破線により示すように、これらのポイントを接続することができ、第１のレプリカは、接続されたデータポイントがターゲット機器２１０に関連した低解像度の測定可能な波長と交差するポイントに基づいて形成することができる（すなわち、破線は実線の黒い四角と交差する）。ここで、第１のレプリカのデータポイントは、図５Ａにおいて黒い菱形で示される。
【００５９】
図５Ｂに示すように、モデリングデバイス２１５は、高解像度スペクトルの第２のデータポイント、高解像度スペクトルの第８のデータポイント、高解像度スペクトルの第１４のデータポイント、および高解像度スペクトルの第２０のデータポイントに基づいて第２のレプリカを生成することができる。図５Ｂにドットの線により示すように、これらのポイントを接続することができ、第２のレプリカは、接続されたデータポイントがターゲット機器２１０に関連した低解像度の測定可能な波長と交差するポイントに基づいて形成することができる（すなわち、ドッドの線は実線の黒い四角と交差する）。ここで、第２のレプリカのデータポイントは、図５Ｂにおいて黒い菱形で示される。
【００６０】
図５Ｃに示すように、モデリングデバイス２１５は、高解像度スペクトルの第３のデータポイント、高解像度スペクトルの第９のデータポイント、高解像度スペクトルの第１５のデータポイント、および高解像度スペクトルの第２１のデータポイントに基づいて第３のレプリカを生成することができる。図５Ｃに破線およびドットの線により示すように、これらのポイントを接続することができ、第３のレプリカは、接続されたデータポイントがターゲット機器２１０に関連した低解像度の測定可能な波長と交差するポイントに基づいて形成することができる（すなわち、破線およびドッドの線は実線の黒い四角と交差する）。ここで、第３のレプリカのデータポイントは、図５Ｃにおいて黒い菱形で示される。
【００６１】
注目すべきことに、第１のレプリカ、第２のレプリカ、および第３のレプリカは、ターゲット機器２１０のそれと一致する（例えば、それぞれのデータポイントはレプリカを生成するために使用されたため）。この例では、モデリングデバイス２１５は、３つの低解像度レプリカを単一の高解像度走査から生成した。ここで、モデリングデバイス２１５は、特定のサンプルに対応するスペクトルとして３つのレプリカを含めることによりマスター較正セットを増強することができる。
【００６２】
上記に示したように、図５Ａ〜図５Ｃは、シフトグリッド補間技術に関連した例として単に提供される。他の例も可能であり、図５Ａ〜図５Ｃに関して記載したものとは異なる場合がある。例えば、いくつかの実施形態では、モデリングデバイス２１５は、図５Ａ〜図５Ｃに示されるものとは異なる、追加のレプリカ、より少ないレプリカ、異なる解像度のレプリカなどを生成することができる。換言すれば、図５Ａ〜図５Ｃは、モデリングデバイス２１５が、マスター較正セットを増強するために、シフトグリッド補間を実行する方法の説明的な例として単に示される。いくつかの実施形態では、モデリングデバイス２１５は、マスター較正セットを増強するために、シフトグリッド補間技術以外の技術を用いて、レプリカを生成することができる。
【００６３】
図４のブロック４１０に戻って、いくつかの実施形態では、モデリングデバイス２１５は、マスター較正セットに含まれる１つまたは複数のサンプルに対応する１つまたは複数のスペクトルに基づいてレプリカを生成することにより、マスター較正セットを増強することができる。例えば、モデリングデバイス２１５は、単一のスペクトルがマスター較正セットに含まれるそれぞれのサンプルについてレプリカを生成することができる。
【００６４】
いくつかの実施形態では、マスター較正セットを増強することは、転送された較正モデルの改善された予測精度をもたらすことができる。例えば、増強されたマスター較正セットに基づいて生成された転送された較正モデルの二乗平均平方根誤差（ＲＭＳＥ）は、マスター較正セットの増強なしに生成された転送された較正のＲＭＳＥと比較して低減することができる。そのような改善は、転送スキームが転送された較正モデルを生成することに関連した転送セットに適用される場合に達成され、詳細は以下に説明される。同様に、そのような改善は、転送スキームが転送セットに適用されない場合でも達成することができる。
【００６５】
いくつかの実施形態では、マスター較正セットの増強により、増強されたマスター較正セットに基づいて生成された転送セットに特定の転送セット（例えば、一般化最小二乗（ＧＬＳ）スキーム）を適用することが可能になる。例えば、特定の転送スキームを、単一のスペクトル（すなわち、較正物に関連した複数のスペクトルが転送スキームを適用するために必要とされる場合）を有する較正物を含む転送セットに適用することができない場合に、マスター較正セットの増強は、特定の転送スキームが適用されることを可能にする（例えば、追加のレプリカは増強を介して生成されるため）。したがって、特定の転送スキームの適用から生じる転送された較正モデルの改善は、マスター較正セットに含まれる単一のスペクトルを有する較正物にもかかわらず、実現することができる。転送セットに関する追加の詳細、および転送セットへの転送スキームの適用については、以下で説明する。
【００６６】
図４にさらに示すように、プロセス４００は、マスター較正物のセットの選択を含むことができる（ブロック４１５）。例えば、モデリングデバイス２１５は、マスター較正物のセットを選択することができる。いくつかの実施形態では、マスター機器２０５は、モデリングデバイス２１５が増強されたマスター較正セットを生成した後に、マスター較正物のセットを選択することができる。加えて、または代替的に、モデリングデバイス２１５がマスター較正セットを取得した後に、マスター較正物のセットを選択することができる。
【００６７】
マスター較正物の選択されたセットは、マスター較正セットに含まれるサンプルのセットに対応するスペクトルのセットを含むことができ、それはマスター機器２０５からターゲット機器２１０にマスター較正モデルを転送することに関連した転送セットに含まれるべきである。換言すれば、マスター較正物の選択されたセットに対応するスペクトルは、マスター機器２０５からターゲット機器２１０にマスター較正モデルを転送することに関連して使用することができる。転送セットは、マスター較正物の選択されたセットおよびターゲット較正物の対応する選択されたセットを含むことができ、マスター較正セットに基づいてターゲット較正セットを生成するために使用することができる。転送セットに関する追加の詳細は、以下で説明する。
【００６８】
いくつかの実施形態では、マスター較正物のセットは、増強されたマスター較正セットに含まれる較正物のサブセットを含むことができる。例えば、マスター較正物の選択されたセットは、増強されたマスター較正セットの４８個の較正物の４個に対するスペクトルを含むことができる。加えて、または代替的に、マスター較正物のセットは、マスター較正セットに含まれる較正物のサブセットを含むことができる（例えば、モデリングデバイス２１５がマスター較正セットの部分を増強しない場合）。
【００６９】
加えて、または代替的に、マスター較正物のセットは、増強されたマスター較正セットに含まれるものと同じタイプのサンプルを含むことができる。例えば、特定のサンプルが経時劣化し、モデリングデバイス２１５が、特定のサンプルがマスター較正物の選択されたセットに含まれるべきであると判断した場合に、モデリングデバイスは、マスター較正物の選択されたセットに含めるため、特定の同じタイプの交換用サンプルを識別することができる。
【００７０】
いくつかの実施形態では、モデリングデバイス２１５は、ケナードストーン（ＫＳ）アルゴリズムを使用してマスター較正物のセットを選択することができる。ＫＳアルゴリズムは、モデリングデバイス２１５に、マスター較正セットの均一なカバレッジを提供し、増強されたマスター較正セットの境界に較正物を含む、増強されたマスター較正セットのマスター較正物のセットを選択させることができる。
【００７１】
いくつかの実施形態では、モデリングデバイス２１５は、増強されたマスター較正セットに含まれる較正スペクトルの行列に基づいてマスター較正物のセットを選択するようなＫＳアルゴリズムを適用することができる（すなわち、異なる波長で測定値を有する多変量データに基づく）。このアプローチは、ＫＳ−Ｘ選択と呼ぶことができる。
【００７２】
加えて、または代替的に、モデリングデバイス２１５は、モデリングデバイス２１５が、増強されたマスター較正セットに対応する基準値（例えば、合成物の測定された量）に基づいて、マスター較正物のセットを選択するようにＫＳアルゴリズムを適用することができる。このアプローチは、ＫＳ−Ｙ選択と呼ぶことができる。
【００７３】
加えて、または代替的に、モデリングデバイス２１５は、ＫＳ−Ｘ選択とＸＳ−Ｙ選択の両方を使用してマスター較正物のセットを選択するようにＫＳアルゴリズムを適用することができる。換言すれば、モデリングデバイス２１５は、マスター較正物のセットを選択するために、ＫＳ−Ｘ選択とＸＳ−Ｙ選択の両方の結果を使用することができる。このアプローチは、ＫＳ−ＸＹ選択と呼ぶことができる。一例として、モデリングデバイス２１５は、５個のマスター較正物のセットを選択すると仮定する。ここで、モデリングデバイス２１５は、ＫＳ−Ｘのアプローチを使用して３個のマスター較正物を選択することができ、ＫＳ−Ｙ選択アプローチを使用して２個のマスター較正物を選択することができる。
【００７４】
いくつかの実施形態では、ＫＳアプローチ（例えば、ＫＳ−Ｘ選択、ＫＳ−Ｙ選択、またはＫＳ−ＸＹ選択）を使用したマスター較正物のセットは、典型的なアプローチ（例えば、レバレッジアプローチ、レバレッジモデルインバースアプローチなど）を使用して選択された転送セットに基づいて生成された転送された較正モデルと比較して改善されたパフォーマンスを達成する転送された較正モデルの生成をもたらし得る。例えば、ＫＳ選択アプローチを使用して選択された較正物を含む転送セットに基づいて生成された転送された較正モデルの二乗平均平方根誤差（ＲＭＳＥＰ）は、典型的な技術を使用して選択された較正物を含む転送セットに基づいて生成された転送された較正モデルと比較して低減することができる。他の例として、ＫＳ選択アプローチを使用して選択された較正物を含む転送セットに基づいて生成された較正モデルの決定の係数（Ｒ２）は、典型的な技術を使用して選択された較正物を含む転送セットに基づいて生成された転送された較正モデルと比較して増加することができる。
【００７５】
いくつかの実施形態では、モデリングデバイス２１５は、転送セットにおいて使用するために、較正物の小さな数（例えば、２、３、５個以下）に対するスペクトルを選択することができる。較正物の小さな数に関連したスペクトルを含む転送セットは、スパース転送セットと呼ぶことができる。いくつかの実施形態では、転送された較正モデルを生成するためのスパース転送セットの使用は、ターゲット機器２１０のリソースの消費を低減し、および／またはターゲット機器２１０のユーザに対する負担を軽減することができる。
【００７６】
図４にさらに示すように、プロセス４００は、マスター較正物の選択されたセットに対応するターゲット機器に関連したターゲット較正物の選択されたセットを取得することを含むことができる（ブロック４２０）。例えば、モデリングデバイス２１５は、マスター較正物の選択されたセットに対応するターゲット機器２１０に関連したターゲット較正物の選択されたセットを取得することができる。いくつかの実施形態では、モデリングデバイス２１５は、モデリングデバイス２１５がマスター較正物のセット選択した後に、ターゲット較正物の選択されたセットを取得することができる。加えて、または代替的に、モデリングデバイス２１５は、ターゲット機器２１０がターゲット較正物の選択されたセットを提供する場合、ターゲット較正物の選択されたセットを取得することができる。
【００７７】
ターゲット較正物の選択されたセットは、マスター較正物の選択されたセットに関連したサンプルに対応するターゲット機器２１０により収集されたスペクトルデータに基づいて生成されたスペクトルのセットを含むことができる。換言すれば、ターゲット較正物の選択されたセットは、マスター較正物の選択されたセットに含まれるスペクトルとしてサンプル（すなわち、マスター機器２０５により走査された１つまたは複数の同じ実際のサンプル、マスター機器２０５により走査されたものと同じタイプの１つまたは複数の置換サンプルなど）の同じセットについて測定されたスペクトル含むことができる。いくつかの実施形態では、ターゲット較正物の選択されたセットは、マスター機器２０５からターゲット機器２１０にマスター較正モデルを転送することに関連した転送セットに含まれるべきである。転送セットに関する追加の詳細は、以下で説明する。
【００７８】
いくつかの実施形態では、ターゲット較正物の選択されたセットに関連した所与のサンプルに対応するスペクトルのセットは、１つまたは複数のスペクトルを含むことができる。いくつかの実施形態では、ターゲット較正物の選択されたセットに含まれるスペクトルは、マスター較正セットに含まれるスペクトルのものより低い解像度であってもよい（例えば、ターゲット機器２１０は低解像度デバイスであってもよく、マスター機器２０５は高解像度デバイスであってもよい）。
【００７９】
いくつかの実施形態では、モデリングデバイス２１５は、ターゲット機器２１０からターゲット較正物の選択されたセットを取得することができる。例えば、モデリングデバイス２１５は、以下に説明するように、マスター較正物のセットを選択することができる。ここで、モデリングデバイス２１５は、マスター較正物の選択されたセットに関連したサンプルを識別する情報を、ターゲット機器２１０に送ることができる（すなわち、スペクトルがマスター較正物の選択されたセットに含まれるサンプル）。この例では、ターゲット機器２１０は、サンプルに関連したスペクトルデータを収集することができ、識別されたサンプルに関連したスペクトルを生成して、モデリングデバイス２１５に、提供することができる。ここで、ターゲット機器２１０は、マスター較正物の選択されたセットに関連したそれらのサンプルのみについてスペクトルデータを収集する必要がある。このように、リソースの使用および／またはユーザの負担は低減される（例えば、ターゲット機器２１０は、増強されたマスター較正セットに関連したすべてのサンプルについてスペクトルを生成する必要がないので）。
【００８０】
加えて、または代替的に、モデリングデバイス２１５は、ターゲット較正物の選択されたセットを提供するために、ターゲット機器２１０に要求を送ることに基づいてターゲット較正物の選択されたセットを取得することができる。加えて、または代替的に、モデリングデバイス２１５は、ターゲット機器および／またはモデリングデバイス２１５を介して提供されたユーザ入力に基づいてターゲット較正物の選択されたセットを取得することができる。
【００８１】
図４にさらに示すように、プロセス４００は、ターゲット較正物の選択されたセットおよびマスター較正物の選択されたセットを含む転送セットを生成することを含むことができる（ブロック４２５）。例えば、モデリングデバイス２１５は、ターゲット較正物の選択されたセットおよびマスター較正物の選択されたセットを含む転送セット生成することができる。いくつかの実施形態では、モデリングデバイス２１５は、モデリングデバイス２１５がターゲット較正物の選択されたセット受信した後に、転送セットを生成することができる。
【００８２】
転送セットは、ターゲット較正物の転送されたセットおよびマスター較正物の転送されたセットに関連したスペクトルを含む較正物のセットである。いくつかの実施形態では、転送セットは、以下に説明するように、増強されたマスター較正セットに適用されてターゲット較正物のセットを生成するための、転送行列を生成するために使用することができる。
【００８３】
いくつかの実施形態では、モデリングデバイス２１５は、ターゲット較正物の選択されたセットおよびマスター較正物の選択されたセットに基づいて転送セット生成することができる。例えば、モデリングデバイス２１５は、特定のサンプルのためにターゲット機器２１０により生成された１つまたは複数のスペクトルと特定のサンプルのためにマスター機器２０５により生成された１つまたは複数のスペクトルとの間の関連付けを生成することができる。換言すれば、所与のサンプルについて、モデリングデバイス２１５は、ターゲット機器２１０により生成されたスペクトルを、マスター機器２０５により生成されたスペクトルに一致させることができる。いくつかの実施形態では、モデリングデバイス２１５は、転送セットを生成するために、マスター較正物の選択されたセットに関連したそれぞれのサンプルについてそのような関連付けを生成することができる。
【００８４】
いくつかの実施形態では、上記のように、転送セットは、スパース転送セットであることができる。換言すれば、いくつかの実施形態では、転送セットは、サンプルの小さな数（例えば、５個未満）に関連したスペクトルを含むことができる。いくつかの実施形態では、スパース転送セットの使用は、転送された較正モデルのパフォーマンスに悪影響を与えることなく、ターゲット機器２１０のリソース消費を低減し、および／またはターゲット機器２１０のユーザに対する負担を軽減することができる（例えば、少数の走査しか必要としないので）。
【００８５】
加えて、または代替的に、転送セットは、ユニバーサル較正物のセットを含むことができる。ユニバーサル較正物のセットは、アプリケーションに依存しない１つまたは複数の較正物を含むことができる（例えば、転送セットに含まれる較正物は、典型的には医薬化合物の同定に関連した較正物のようなアプリケーション固有の較正物を含むことができる）。例えば、ユニバーサル較正物のセットは、波長較正標準に関連した較正物のセット、測光較正標準に関連した較正物のセット、波長較正標準および測光較正標準に関連した較正物の組み合わせを含む較正物のセットなどを含むことができる。いくつかの実施形態では、ユニバーサル較正物のセットは、第１のアプリケーションに関連したマスター較正モデルを、第２の（すなわち、異なる）アプリケーションに関連したターゲット機器２１０に、転送するために使用することができる。
【００８６】
いくつかの実施形態では、ユニバーサル較正物の使用は、マスター較正モデルをターゲット機器２１０に転送することに関連したリソースの使用および／またはユーザの負担を低減することができる。例えば、ユニバーサル較正物のセットに関連したスペクトルは、ターゲット機器２１０の製造プロセスの一部として生成されることができる（例えば、マスター較正モデルをターゲット機器２１０に転送するために、後でスペクトルデータを収集する必要がない）。いくつかの実施形態では、ユニバーサル較正物のセットは、転送された較正モデルを生成するために、単独で使用することができる（すなわち、マスター較正物の選択されたセットおよびターゲット較正物の選択されたセットなしに）。加えて、または代替的に、ユニバーサル較正物のセットは、マスター較正物の選択されたセットおよびターゲット較正物の選択されたセットに加えて使用することができる。
【００８７】
図４にさらに示すように、プロセス４００は、転送セットに基づいた転送行列を生成することを含むことができる（ブロック４３０）。例えば、モデリングデバイス２１５は、転送セットに基づいて転送行列を生成することができる。いくつかの実施形態では、モデリングデバイス２１５は、モデリングデバイス２１５が転送セットを生成した後に、転送行列を生成することができる。
【００８８】
転送行列は、転送された較正モデルを生成することができるから、ターゲット較正セットを生成するように、増強されたマスター較正セットをマッピングに関連した転送セットに対応する行列を含むことができる。換言すれば、転送行列は、転送された較正モデルが生成されたことに基づいてターゲット較正セットを生成するために、マスター較正セットに含まれるサンプルに関連したスペクトルを操作する方法を識別する情報を含むことができる。いくつかの実施形態では、モデリングデバイス２１５は、転送セットに基づいて転送行列を生成することができる。
【００８９】
いくつかの実施形態では、モデリングデバイス２１５は、転送スキームを転送セットに適用した後に、転送行列を生成することができる。例えば、モデリングデバイス２１５は、一般化最小二乗（ＧＬＳ）スキームを転送セットに適用することができる。ＧＬＳスキームは、機器の差異に起因するスペクトルデータに関連した共分散構造のオフセットおよびシフトを推定するように転送セットに含まれるスペクトルを使用して機能することができる。ここで、ＧＳＬスキームは、マスター機器２０５とターゲット機器２１０との両方で共通でない転送セットに含まれるスペクトルに関連したスペクトルデータの変動を除去することができる。ＧＬＳを転送セットに適用した結果は、改善された転送された較正モデルをもたらす転送行列であることができる（例えば、転送スキームの適用なしに生成された転送行列と比較して）。いくつかの実施形態では、モデリングデバイス２１５は、区分的直接標準化（ＰＤＳ）転送スキームのような他のタイプの転送スキームを適用することができる。
【００９０】
図４にさらに示すように、プロセス４００は、転送行列を増強されたマスター較正セットに適用して、ターゲット較正セットを生成することを含むことができる（ブロック４３５）。例えば、モデリングデバイス２１５は、転送行列を増強されたマスター較正セットに適用することができる。いくつかの実施形態では、モデリングデバイス２１５は、モデリングデバイス２１５が転送行列を生成した後に、転送行列を増強されたマスター較正セットに適用することができる。
【００９１】
ターゲット較正セットは、転送された較正モデルを生成することができるから、増強されたマスター較正セットに関連したサンプルに対応するスペクトルのセットを含むことができる。換言すれば、ターゲット較正セットは、増強されたマスター較正セットに含まれるサンプルに対応するスペクトルのセットからマッピングされる、ターゲット機器２１０に関連したスペクトルのセットを含むことができる。ここで、ターゲット較正セットに含まれるスペクトルのセットは、転送行列を増強されたマスター較正セットに含まれるスペクトルのセットに適用することに基づいてマッピングすることができる。
【００９２】
いくつかの実施形態では、モデリングデバイス２１５は、転送行列を増強されたマスター較正セットに適用することに基づいてターゲット較正セットを生成することができる。例えば、モデリングデバイス２１５は、転送行列を増強されたマスター較正セットに含まれるそれぞれのサンプルに関連したスペクトルデータに適用することができ（すなわち、マスター機器２０５に関連したスペクトルデータ）、ここで、転送行列を適用した結果は、ターゲット機器２１０に関連したスペクトルデータである。このように、ターゲット機器２１０に対するスペクトルデータは、ターゲット機器２１０が増強されたマスター較正セットに関連したそれぞれのサンプルを走査する必要なしに取得することができる。むしろ、上述したように、ターゲット機器２１０は、スパース転送セットに関連したそのようなサンプルに対するスペクトルデータを収集するだけでよい。このように、ターゲット較正セットは、ターゲット機器２１０のリソースの消費および／またはユーザの負担を低減して取得することができる。
【００９３】
図４にさらに示すように、プロセス４００は、ターゲット較正セットに基づいてターゲット機器に関連した最適化された転送された較正モデルを生成することを含むことができる（ブロック４４０）。例えば、モデリングデバイス２１５は、ターゲット較正セットに基づいてターゲット機器２１０に関連した転送された較正モデルを生成することができる。いくつかの実施形態では、モデリングデバイス２１５は、モデリングデバイス２１５がターゲット較正セット生成した後に、転送されたモデルを生成することができる。
【００９４】
本明細書の他の箇所に記載されるように、転送された較正モデルは、マスター機器２０５に関連したマスター較正セットに基づいて生成されたターゲット機器２１０により取得された測定値を較正するために使用される、モデルを含むことができる。換言すれば、転送された較正モデルは、解像度能力差、ハードウェア差異、光路差などの、マスター機器２０５とターゲット機器２１０との間の差異を考慮しながら、マスター機器２０５からターゲット機器２１０に転送されるモデルを含むことができる。いくつかの実施形態では、モデリングデバイス２１５は、後述するように、転送セットに関連した最適化技術を使用して、生成された較正モデルを最適化することができる（すなわち、モデリングデバイス２１５は、最適化された転送された較正モデルを生成することができる）。
【００９５】
いくつかの実施形態では、モデリングデバイス２１５は、サポートベクトル回帰（ＳＶＲ）モデリング技術（すなわち、回帰のためのサポートベクトルマシン（ＳＶＭ））をターゲット較正セットに適用することに基づいて、転送されたモデルを生成することができる。ＳＶＲモデリング技術は、コスト関数を最小化することにより、転送された較正モデルに関連した回帰方程式の係数を推定する。ＳＶＲモデリング技術によれば、転送された較正モデルを構築するためのコスト関数は、転送された較正モデルの予測の閾値内にある転送セットに含まれるスペクトルデータの値を無視する（すなわち、回帰方程式を生成する目的では、閾値を満たすコストを有するサンプルのスペクトルは無視される）。したがって、回帰方程式に関連したコスト関数は、ターゲット較正セットに含まれるスペクトルのサブセットに基づく（例えば、１つまたは複数のサンプルに関連したスペクトルデータはコスト関数により無視されるため）。いくつかの実施形態では、ＳＶＲモデリング技術を使用して生成された転送された較正モデルのパフォーマンスは、部分最小二乗（ＰＬＳ）回帰モデリング技術のような典型的なモデリング技術を使用して生成された転送された較正モデルのパフォーマンスと比較して改善される。
【００９６】
いくつかの実施形態では、モデリングデバイス２１５は、生成された転送された較正モデルを最適化することに関連した最適化技術を使用して転送された較正モデルを生成することができる。例えば、いくつかの実施形態では、モデリングデバイス２１５は、ＫＳ選択アプローチ（例えば、ＫＳ−Ｘ選択、ＫＳ−Ｙ選択、ＫＳ−ＸＹアプローチ）を使用して選択される、転送セット（例えば、ターゲット較正物の選択されたセット、マスター較正物の選択されたセット）に基づいて、転送された較正モデルに関連したモデルパラメータ（例えば、ＳＶＲモデリング技術に関連したＣパラメータ、ＰＬＳ回帰モデリング技術に関連したＰＬＳ係数）の値を決定することができる。そのような技術は、ＸＳ−ＫＳ最適化技術と呼ぶことができる。
【００９７】
ＸＳ−ＫＳ最適化技術を使用して、モデリングデバイス２１５は、ターゲット機器２１０に関連した転送セットに含まれるスペクトル上の予測を実行することにより、マスター較正モデルのモデルパラメータの値を決定することができる。ここで、マスター較正モデルの閾値を満たすＲＭＳＥ、または最小のＲＭＳＥをもたらすモデルパラメータの値は、モデルパラメータの最適値として識別され、モデルパラメータの最適値は、ターゲット機器２１０に関連した転送された較正モデルに適用することができる
【００９８】
いくつかの実施形態では、モデルパラメータの値を決定するためのＸＳ−ＫＳ最適化技術の使用は、転送された較正モデルのモデルパラメータの値を決定するための典型的な技術と比較して改善されたモデルパフォーマンスをもたらすことができる。例えば、転送された較正モデルのモデルパラメータの値を決定する典型的な方法は、スペクトルのトレーニングセット（すなわち、マスター機器２０５に関連する）を使用して、マスター較正モデルに関連したモデルパラメータの値を決定するために、相互検証を実行することである。ここで、識別されたモデルパラメータは、転送された較正モデルに適用される。しかしながら、モデルパラメータの値を決定するために、スペクトルのトレーニングセットを使用して相互検証を実行することは、最適なモデルパラメータの選択をもたらすことはできない（すなわち、転送された較正モデルに適用する場合、モデルパラメータは、モデルパラメータの１つまたは複数の他の可能な値と比較してより高いＲＭＳＥをもたらす可能性がある）。それにより、転送された較正モデルのパフォーマンスに悪影響を与える。ここで、モデルパラメータの値を決定するためにＸＳ−ＫＳ最適化技術の使用は、相互検証技術を使用して決定されたモデルパラメータの値と比較して、転送された較正モデルの改善されたパフォーマンスをもたらすモデルパラメータの値の選択をもたらすことができる。
【００９９】
いくつかの実施形態では、モデリングデバイス２１５は、ＸＳ−ＫＳ最適化技術をＳＶＲモデリング技術を使用して生成された転送された較正モデルに適用することができる。加えて、または代替的に、モデリングデバイス２１５は、ＸＳ−ＫＳ最適化技術をＰＬＳ回帰モデリング技術のような他のモデリング技術を使用して生成される転送された較正に適用することができる。例えば、ＰＬＳ回帰モデリング技術を使用して生成された転送されたモデルの場合に、モデルパフォーマンスは、ＸＳ−ＫＳ技術により改善することができる（例えば、ＰＬＳ回帰技術と組み合わせた相互検証技術の使用と比較して）。
【０１００】
いくつかの実施形態では、モデリングデバイス２１５は、転送された較正モデルをターゲット機器２１０に提供することができる。ここで、ターゲット機器２１０は、ターゲット機器２１０が、後で転送された較正モデルを使用して、ターゲット機器２１０により収集された測定値を較正することができるように、転送された較正モデルを受信して格納することができる。
【０１０１】
図４は、プロセス４００の例示的なブロックを示しているが、いくつかの実施形態では、プロセス４００は、図４に示されたものと比較して追加のブロック、より少ないブロック、異なるブロック、または異なる配置のブロックを含むことができる。例えば、いくつかの実施形態では、モデリングデバイス２１５は、マスター較正セットを増強することができない（すなわち、ブロック４１０は、任意であり得る）。そのような場合、プロセス４００の他のステップは、マスター較正セット（例えば、増強されたマスター較正セットではなく）に基づいて実行することができる。加えて、または代替的に、プロセス４００の２つ以上のブロックが平行して実行されてもよい。
【０１０２】
マスター較正モデルが、較正物の小さな数（例えば、５個以下）に関連したスペクトルを含むスパース転送セットを使用してターゲット機器に転送されることを可能にしながら、本明細書に記載される実施形態は、マスター機器からターゲット機器にマスター較正モデルの改善された転送のための技術を提供する。
【０１０３】
特に、本明細書に記載される実施形態は、マスター機器２０５からターゲット機器２１０にマスター較正モデルを転送する場合、”前方”アプローチを使用する。上述したように、マスター較正セットは、ターゲット較正セットを取得するために、ターゲット機器２１０にマッピングされ、転送された較正モデルを生成する。このアプローチは、ターゲット機器により生成されたスペクトルが、マスター機器にマッピングされ、マスター較正モデルが、ターゲット機器を走査したサンプルの特性を予測するために直接使用される、典型的な較正モデル転送手順とは異なる（いわゆる、”逆”アプローチ）。
【０１０４】
前方アプローチを使用することの一つの利点は、このアプローチが、転送された較正モデルの周期的および／または連続的な更新を可能にすることである。例えば、モデル転送を実行することの１つの理由は、転送されたモデルが将来の測定のためにターゲット機器２１０により使用されるように、マスター機器で開発された既存のモデルを利用することである。ここで、このような将来の測定は、ターゲット機器２１０により実行されるので、ターゲット機器２１０は、転送された較正モデルに含めることができる追加のスペクトルデータを（例えば、将来的に）収集することができる（例えば、転送された較正モデルをさらに改善するためまたは更新するため、転送された較正モデルを将来の状態に適したものにするためなど）。”前方”アプローチの使用は、転送された較正モデルを繰り返し更新するために柔軟性を提供する。
【０１０５】
上述の開示は、例示および説明を提供するが、網羅的であること、または開示された厳密な形態に実施を限定するものではない。上記の開示に照らして、修正および変更が可能であり、または実施形態の実施から取得されてもよい。
【０１０６】
本明細書で使用する場合、用語要素は、ハードウェア、ファームウェア、および／またはハードウェアとソフトウェアとの組み合わせとして広く解釈されることが意図される。
【０１０７】
本明細書で説明されるシステムおよび／または方法は、ハードウェア、ファームウェア、またはハードウェアとソフトウェアとの組み合わせの様々な形態で実施されてもよいことは明らかであろう。これらのシステムおよび方法を実施するために使用される実際の特殊化された制御ハードウェアまたはソフトウェアコードは、実施を限定するものではない。したがって、システムおよび／または方法の動作および挙動は、特定のソフトウェアコードを参照することなく本明細書に記載されているが、本明細書の記載に基づいてシステムおよび／または方法を実施するようにソフトウェアおよびハードウェアを設計することができる。
【０１０８】
いくつかの実施形態では、閾値に関連して本明細書に記載されている。本明細書で使用されるように、閾値を満たすことは、閾値より大きく、閾値より大きく、閾値より高く、閾値以上であり、閾値より小さく、閾値より低い、閾値以下であり、閾値に等しいなどを参照することができる。
【０１０９】
特徴の組み合わせは、請求の範囲に記載および／または明細書に開示されているにもかかわらず、これらの組み合わせが可能な実施の開示を限定するものではない。実際に、これらの特徴の多くは、請求の範囲に具体的に記載されていないおよび／または明細書に開示されていない方法で組み合わせることができる。以下に列挙するそれぞれの従属請求項は、ただ１つの請求項に直接依存することができるが、可能な実施形態の開示は、それぞれの従属請求項を請求項セット内の他のすべての請求項と組み合わせて含む。
【０１１０】
本明細書で使用される要素、動作、または命令は、明示的に記載されない限り、批判的または必須であると解釈されるべきでない。また、明細書で使用する冠詞”１つ”および”および”１つ”は、１つまたは複数の項目を含むことが意図され、”１つまたは複数”と互換的に使用することができる。さらに、本明細書で使用する”セット”という用語は、１つまたは複数の項目（例えば、関連項目、無関係な項目、関連項目の組み合わせ、および無関係な項目など）を含むことを意図しており、”１つまたは複数”と互換的に使用することができる。１つの項目のみが意図されている場合、”１つ”または類似の言語という用語が使用される。また、本明細書で使用する”有する”、”有する”、”有する”などの用語は、制限のない用語であることが意図されている。さらに、”に基づく”という語句は、特に断りのない限り、”少なくとも部分的に基づいて”を意味するものとする。
【図１Ａ】
2018059900.tif 000003
【図１Ｂ】
2018059900.tif 000004
【図２】
2018059900.tif 000005
【図３】
2018059900.tif 000006
【図４】
2018059900.tif 000007
【図５Ａ】
2018059900.tif 000008
【図５Ｂ】
2018059900.tif 000009
【図５Ｃ】
2018059900.tif 000010
【外国語明細書】
2018059900.tif 000011
2018059900.tif 000012
2018059900.tif 000013
2018059900.tif 000014
2018059900.tif 000015
2018059900.tif 000016
2018059900.tif 000017
2018059900.tif 000018
2018059900.tif 000019
2018059900.tif 000020
2018059900.tif 000021
2018059900.tif 000022
2018059900.tif 000023
2018059900.tif 000024
2018059900.tif 000025
2018059900.tif 000026
2018059900.tif 000027
2018059900.tif 000028
2018059900.tif 000029
2018059900.tif 000030
2018059900.tif 000031
2018059900.tif 000032
2018059900.tif 000033
2018059900.tif 000034
2018059900.tif 000035
2018059900.tif 000036
2018059900.tif 000037
2018059900.tif 000038
2018059900.tif 000039
2018059900.tif 000040
2018059900.tif 000041
2018059900.tif 000042
2018059900.tif 000043
2018059900.tif 000044
2018059900.tif 000045
2018059900.tif 000046
2018059900.tif 000047
2018059900.tif 000048
2018059900.tif 000049
2018059900.tif 000050
2018059900.tif 000051
2018059900.tif 000052
2018059900.tif 000053
2018059900.tif 000054
2018059900.tif 000055
2018059900.tif 000056
2018059900.tif 000057
2018059900.tif 000058
2018059900.tif 000059
2018059900.tif 000060
2018059900.tif 000061
2018059900.tif 000062
2018059900.tif 000063